(57)【特許請求の範囲】
【請求項１】
音響管内に単一指向性マイクユニットおよび双方向性マイクユニットの２つのマイクユニットを収納してなるマイクロホン本体と、上記単一指向性マイクユニットから出力される主信号Ｍと上記双方向性マイクユニットから出力される方向信号Ｓとから（Ｍ＋Ｓ），（Ｍ−Ｓ）なるＬＲの各チャンネル信号を得るマトリクス回路とを有するステレオ狭指向性マイクロホンにおいて、
上記双方向性マイクユニットを上記単一指向性マイクユニットよりも上記音響管の先端側に配置し、上記双方向性マイクユニットから出力される上記方向信号Ｓを、上記双方向性マイクユニットの位置から上記単一指向性マイクユニットの位置にまで至る音の時間差分遅らせる遅延回路を通して上記マトリクス回路に入力することを特徴とするステレオ狭指向性マイクロホン。
【請求項２】
上記単一指向性マイクユニットと上記双方向性マイクユニット間の距離をＤ，音速をＣとして、上記遅延回路による信号の遅れ時間Ｔは、
Ｔ＝Ｄ／Ｃ
により求められる請求項１に記載のステレオ狭指向性マイクロホン。
【請求項３】
上記遅延回路として、ローパスフィルタもしくはＢＢＤが用いられる請求項１または２に記載のステレオ狭指向性マイクロホン。
【発明の詳細な説明】
【０００１】
【発明の属する技術分野】
本発明は、音響管を有するいわゆるガンタイプと呼ばれるステレオ狭指向性マイクロホンに関し、さらに詳しく言えば、インテンシティ方式の内のＭＳ方式によるステレオ狭指向性マイクロホンに関するものである。
【０００２】
【従来の技術】
ＭＳ方式はＨ，Ｌａｕｒｉｄｓｅｎによって考案されたステレオ狭指向性マイクロホンであって、ＭはＭｉｄｄｌｅ，ＳはＳｉｄｅの意味で、Ｍは主信号，Ｓは方向信号を表す。
【０００３】
通常、ＭＳ方式においては、単一指向性マイクユニットより主信号Ｍを得るとともに、これと直交するように配置された双方性マイクユニットにより方向信号Ｓを得て、主信号Ｍと方向信号Ｓとをマトリクス回路（和差動回路）を入力して、（Ｍ＋Ｓ），（Ｍ−Ｓ）なるＬＲの各チャンネル信号を作るようにしている。
【０００４】
その一例を、図３（ａ）の縦断面図および同図（ｂ）の横断面図（図３（ａ）のＡ−Ａ線断面図）により説明する。このステレオ狭指向性マイクロホンにおいては、同一の音響管１０内に単一指向性マイクユニット２０と双方性マイクユニット３０とを収納してなり、図において、音響管１０の左側が先端側（図示しない音源側）であるとすると、各マイクユニット２０，３０はともに音響管１０の後端側に配置されている。
【０００５】
単一指向性マイクユニット２０は図４（ａ）に示す指向性パターンを有し、双方性マイクユニット３０は図４（ｂ）に示す指向性パターンを有しており、双方性マイクユニット３０の収音軸は単一指向性マイクユニット２０の収音軸に対して直交するように配置されている。
【０００６】
単一指向性マイクユニット２０の主信号Ｍと双方性マイクユニット３０の方向信号Ｓとが、図示しないマトリクス回路（和差動回路）に入力され、同マトリクス回路より、（Ｍ＋Ｓ），（Ｍ−Ｓ）なるＬＲの各チャンネル信号が出力される。
【０００７】
このステレオ狭指向性マイクロホンによれば、（Ｍ＋Ｓ）の信号と（Ｍ−Ｓ）の信号の各指向性パターンは基本的に左右対称のカーディオイドとなるため、２個の単一指向性マイクができたことと同義となる。
【０００８】
【発明が解決しようとする課題】
単一指向性マイクユニット２０と双方性マイクユニット３０に時間差があると、マトリクス回路でＬＲ信号にする際に、周波数応答にリップルができることから、２つのマイクユニット２０，３０は時間差が生じないようにできるだけ近接して配置される。
【０００９】
この種のステレオ狭指向性マイクロホンは、テレビカメラに搭載されることが多く、その場合、各マイクユニット２０，３０はテレビカメラのビューファインダーの横に配置される。
【００１０】
そうすると、双方性マイクユニット３０の収音軸は単一指向性マイクユニット２０の収音軸に対して直交するように配置されていることから、双方性マイクユニット３０の収音軸にはカメラマンの頭部が位置することになる。
【００１１】
そのため、カメラマンが独り言を言ったり、とっさの状況下で叫び声などを上げたりすると、双方性マイクユニット３０がカメラマンの口元に近いため、大きなレベルで収音されてしまうことになる。
【００１２】
本発明は、このような課題を解決するためになされたもので、その目的は、テレビカメラに搭載した場合、カメラマンの声ができるだけ収音されないようにしたステレオ狭指向性マイクロホンを提供することにある。
【００１３】
【課題を解決するための手段】
上記目的を達成するため、本発明は、音響管内に単一指向性マイクユニットおよび双方向性マイクユニットの２つのマイクユニットを収納してなるマイクロホン本体と、上記単一指向性マイクユニットから出力される主信号Ｍと上記双方向性マイクユニットから出力される方向信号Ｓとから（Ｍ＋Ｓ），（Ｍ−Ｓ）なるＬＲの各チャンネル信号を得るマトリクス回路とを有するステレオ狭指向性マイクロホンにおいて、上記双方向性マイクユニットを上記単一指向性マイクユニットよりも上記音響管の先端側に配置し、上記双方向性マイクユニットから出力される上記方向信号Ｓを、上記双方向性マイクユニットの位置から上記単一指向性マイクユニットの位置にまで至る音の時間差分遅らせる遅延回路を通して上記マトリクス回路に入力することを特徴としている。
【００１４】
音響管内を伝播する音波の速度は、音響管の特性インピーダンスが自由空間と同一であることから、双方向性マイクユニットの位置から単一指向性マイクユニットの位置にまで至る音の時間差（遅れ時間Ｔ）は、マイクユニット間の距離をＤ，音速をＣとして、Ｔ＝Ｄ／Ｃにより求められ、その遅延回路としてはローパスフィルタもしくはＢＢＤ（Ｂｕｃｋｅｔ  Ｂｒｉｇａｄｅ  Ｄｅｖｉｃｅ）が好ましく採用される。
【００１５】
本発明によれば、双方向性マイクユニットが音響管の先端側に配置されているため、カメラマンの声が収音されにくくなる。また、双方向性マイクユニットから出力される方向信号Ｓは、遅延回路を介してマイクユニット間の距離分遅らされてマトリクス回路に入力されるため、ＬＲの信号を得る際に周波数応答にリップルが生ずることもない。
【００１６】
【発明の実施の形態】
次に、図１および図２により、本発明の実施形態について説明する。なお、図１は実施形態に係るステレオ狭指向性マイクロホンの縦断面図で、図２にはその横断面図（図１のＡ−Ａ線断面図）とマトリクス回路とが示されている。
【００１７】
このステレオ狭指向性マイクロホンにおいても、同一の音響管１０内に単一指向性マイクユニット２０と双方性マイクユニット３０とを収納してなるが、この場合、単一指向性マイクユニット２０と双方性マイクユニット３０は位置的に離されている。
【００１８】
すなわち、図１，２において、音響管１０の左側が先端側（図示しない音源側）であるとすると、単一指向性マイクユニット２０は、音響管１０の後端側に配置されるが、これに対して、双方性マイクユニット３０は、カメラマンの声を拾いにくくするため、音響管１０の先端側に配置されている。
【００１９】
単一指向性マイクユニット２０の収音軸は、音響管１０の軸線と平行（同軸）に配向され、これに対して、双方性マイクユニット３０の収音軸は、単一指向性マイクユニット２０の収音軸と直交するように配向されており、この点に関しては、先に説明した従来例と同じである。なお、音響管１０に付されている参照符号１１の部分はスリットである。
【００２０】
単一指向性マイクユニット２０から出力される主信号Ｍと、双方性マイクユニット３０から出力される方向信号Ｓは、和差動回路であるマトリクス回路４０に与えられ、マトリクス回路４０により（Ｍ＋Ｓ），（Ｍ−Ｓ）なるＬＲ信号が出力されるが、本発明においては、双方性マイクユニット３０の方向信号Ｓは、遅延回路４１を通してマトリクス回路４０に入力される。
【００２１】
すなわち、双方性マイクユニット３０が単一指向性マイクユニット２０から離されて配置されているため、このままであると、各マイクユニット２０，３０間で音の伝播時間差が生じ、マトリクス回路４０でＬＲ信号とする際に周波数応答にリップルが生ずることになる。
【００２２】
これを防止するため、本発明では、遅延回路４１を採用して、電気的に単一指向性マイクユニット２０と双方性マイクユニット３０とが近接配置されているようにしている。
【００２３】
音響管１０内を伝播する音波の速度は、音響管１０の特性インピーダンスが自由空間と同一であることから、双方向性マイクユニット３０の位置から単一指向性マイクユニット２０の位置にまで至る音の時間差（遅れ時間Ｔ）は、マイクユニット間の距離をＤ，音速をＣとして、Ｔ＝Ｄ／Ｃにより求められる。
【００２４】
本発明において、双方性マイクユニット３０の方向信号Ｓは、遅延回路４１により電気的に上記遅れ時間Ｔだけ遅らされてマトリクス回路４０に入力される。遅延回路４１には種々の回路が適用可能であるが、構成が簡単で、かつ、低コストで入手可能である点からすれば、ローパスフィルタやＢＢＤが好ましく採用される。
【００２５】
風雑音については、通常、音響管を有するラインマイクロホン（ガンタイプマイクロホン）では、音響管の先端部で風雑音が発生しやすい。また、双方性マイクユニット３０も風雑音に対して弱いため、従来では、音響管の先端部と後端部とを重点にして風防設計していた。
【００２６】
これに対して、本発明によれば、双方性マイクユニット３０が音響管１０の先端側に配置されているため、主として音響管１０の先端側のみに対して重点的に風防設計すればよいことになり、この点でも本発明は効果がある。
【００２７】
【発明の効果】
以上説明したように、本発明によれば、音響管内に単一指向性マイクユニットおよび双方向性マイクユニットとを収納し、単一指向性マイクユニットから出力される主信号Ｍと双方向性マイクユニットから出力される方向信号Ｓとをマトリクス回路に入力して、（Ｍ＋Ｓ），（Ｍ−Ｓ）なるＬＲの各チャンネル信号を得るステレオ狭指向性マイクロホンにおいて、双方向性マイクユニットを単一指向性マイクユニットよりも音響管の先端側に配置し、双方向性マイクユニットから出力される方向信号Ｓを、双方向性マイクユニットの位置から単一指向性マイクユニットの位置にまで至る音の時間差分遅らせる遅延回路を通してマトリクス回路に入力するようにしたことにより、特にテレビカメラに搭載した場合、カメラマンの声ができるだけ収音されないようにすることができる。
【図面の簡単な説明】
【図１】本発明の実施形態に係るステレオ狭指向性マイクロホンの縦断面図。
【図２】上記実施形態に係るステレオ狭指向性マイクロホンの横断面図とマトリクス回路とを示した図。
【図３】従来例としてのステレオ狭指向性マイクロホンの縦断面図および横断面図。
【図４】単一指向性マイクユニットおよび双方向性マイクユニットの各指向性パターンを示した特性図。
【符号の説明】
１０  音響管
２０  単一指向性マイクユニット
３０  双方向性マイクユニット
４０  マトリクス回路（和差動回路）
４１  遅延回路
【図１】
0004663159.tif 000002
【図２】
0004663159.tif 000003
【図３】
0004663159.tif 000004
【図４】
0004663159.tif 000005